(57)【要約】【課題】  熱膨張による剪断力によって引き出し電極が回路基板から剥離することを抑えることが可能な角度検出装置を提供する。【解決手段】  被測定物の変位によるレバー１の移動に伴う抵抗体２上を摺動する接点３を備え、抵抗体２の抵抗値変化を出力する角度検出装置Ｒであって、抵抗体２を備えた回路基板４と、回路基板４に形成され、抵抗体２の抵抗値を外部に伝達する引き出し電極５と、回路基板４を収納する収納空間１９を備えたケース６と、接点３の摺動を損なわない様に収納空間１９内に充填される充填部材７と、充填部材７と引き出し電極５との間に配設される粘性を有する絶縁部材８とを備えたものである。【選択図】  図４
2008147571.tif 000002
【特許請求の範囲】
【請求項１】
被測定物の変位に伴い抵抗体上もしくは前記抵抗体から引き出された電極上を摺動する接点を備え、前記抵抗体の抵抗値変化を出力する角度検出装置であって、
前記抵抗体を備えた回路基板と、この回路基板に形成され前記抵抗体の抵抗値を外部に伝達する引き出し電極と、前記回路基板を収納する収納空間を備えたケースと、前記接点の摺動を損なわない様に前記収納空間内に充填される充填部材と、前記充填部材と前記引き出し電極との間に配設される粘性を有する絶縁部材とを備えたことを特徴とする角度検出装置。
【請求項２】
前記絶縁部材は、グリースまたはオイルからなることを特徴とする請求項１に記載の角度検出装置。
【請求項３】
前記回路基板を支持する立壁部を前記ケースに備え、前記立壁部と前記回路基板とが接触する状態で前記回路基板を前記ケースに配置し、前記立壁部と前記回路基板との間に前記絶縁部材を配置してなることを特徴とする請求項１に記載の角度検出装置。
【発明の詳細な説明】
【技術分野】
【０００１】
本発明は、被測定物の変位に伴い抵抗体上もしくは前記抵抗体から引き出された電極上を摺動する接点を備え、前記抵抗体の抵抗値変化を出力する角度検出装置に関するものである。
【背景技術】
【０００２】
従来の角度検出装置は、被測定物の変位に伴い抵抗体上もしくは前記抵抗体から引き出された電極上を摺動する接点を備え、前記抵抗体の抵抗値変化を出力するものである。この角度検出装置は、前記抵抗体が形成された回路基板を備え、この回路基板をケースの収納空間内に配設するとともに、この収納空間内にエポキシ樹脂等の充填部材を充填することで、前記回路基板を外部雰囲気から隔離する構造が用いられている（例えば、特許文献１参照）。
【特許文献１】特開２０００−３４０４０７号公報
【発明の開示】
【発明が解決しようとする課題】
【０００３】
しかしながら、前記回路基板の抵抗値変化を外部に伝達する引き出し電極が前記充填部材に接触する構造である場合、前記充填部材と前記引き出し電極とが密着し、熱膨張による剪断力によって前記引き出し電極が前記回路基板から剥離してしまう問題点を有していた。
【０００４】
そこで、本発明は前述した問題点に着目し、熱膨張による剪断力によって引き出し電極が回路基板から剥離することを抑えることが可能な角度検出装置を提供することを目的とする。
【課題を解決するための手段】
【０００５】
本発明では、請求項１に記載のように、被測定物の変位に伴い抵抗体上もしくは前記抵抗体から引き出された電極上を摺動する接点を備え、前記抵抗体の抵抗値変化を出力する角度検出装置であって、前記抵抗体を備えた回路基板と、この回路基板に形成され前記抵抗体の抵抗値を外部に伝達する引き出し電極と、前記回路基板を収納する収納空間を備えたケースと、前記接点の摺動を損なわない様に前記収納空間内に充填される充填部材と、前記充填部材と前記引き出し電極との間に配設される粘性を有する絶縁部材とを備えたものである。
【０００６】
また、請求項２に記載のように、前記絶縁部材は、グリースまたはオイルからなるものである。
【０００７】
また、請求項３に記載のように、前記回路基板を支持する立壁部を前記ケースに備え、前記立壁部と前記回路基板とが接触する状態で前記回路基板を前記ケースに配置し、前記立壁部と前記回路基板との間に前記絶縁部材を配置してなるものである。
【発明の効果】
【０００８】
以上、本発明によれば、所期の目的を達成することができ、熱膨張による剪断力によって引き出し電極が回路基板から剥離することを抑えることが可能な角度検出装置を提供することができる。
【発明を実施するための最良の形態】
【０００９】
本発明の請求項１に記載による角度検出装置Ｒは、被測定物の変位によるレバー１の移動に伴う抵抗体２上を摺動する接点３を備え、抵抗体２の抵抗値変化を出力する角度検出装置Ｒであって、抵抗体２を備えた回路基板４と、回路基板４に形成され、抵抗体２の抵抗値を外部に伝達する引き出し電極５と、回路基板４を収納する収納空間１９を備えたケース６と、接点３の摺動を損なわない様に収納空間１９内に充填される充填部材７と、充填部材７と引き出し電極５との間に配設される粘性を有する絶縁部材８とを備えたものである。このように構成することにより、充填部材７と引き出し電極５が接することがなくなることから、充填部材７と回路基板４との熱膨張係数の違いによって生じる部材間の熱膨張による剪断力が生じなくなるため、引き出し電極５が回路基板４から剥離することを抑えることが可能な角度検出装置を提供することができる。
【００１０】
また、請求項２に記載の発明によれば、絶縁部材８は、グリースまたはオイルからなるものである。このように構成することにより、充填部材７と引き出し電極５が接することがなくなり、熱膨張による剪断力によって引き出し電極５が回路基板４から剥離することを抑えることが可能な角度検出装置を提供することができる。
【００１１】
また、請求項３に記載の発明によれば、回路基板４を支持する立壁部２０をケース６に備え、立壁部２０と回路基板４とが接触する状態で回路基板４をケース２０に配置し、立壁部２０と回路基板４との間に絶縁部材８を配置してなるものである。このように構成することにより、充填部材７が立壁部２０と回路基板４との間に浸入することを抑えることが可能な角度検出装置を提供することができる。
【実施例１】
【００１２】
以下、図１から図４を用いて本発明の第１実施例を説明する。
【００１３】
本発明の角度検出装置Ｒは、例えば、船舶の船と船外機とのなす角度を検出するものであり、回転するレバー１と、レバー１の回転に伴い回転する接点３と、この接点３が摺動する回路基板４と、接点３と回路基板４とを収納するケース６と、接点３と回路基板４とを外部雰囲気の影響から保護する充填部材７とを備えている。本実施例では、ケース６が船舶の船側に取り付けられ、レバー１が船外機側に取り付けられている。
【００１４】
レバー１は合成樹脂からなり、本実施例では、被測定物である船外機の変位に伴い回転するものである。レバー１は、ケース６に回転可能に支持された回転軸９を回転中心として回転する。レバー１は回転軸９にねじ１０によって固定されている。なお、レバー１とケース６とには、レバー１の回転を防止する図示しないストッパが設けられており、レバー１は、コイルバネ１１によって、常に前記ストッパに当接するように付勢されている。  接点３は洋泊などの導電性を有する金属からなり、回転軸９にねじ１２によって固定された接点ホルダ１３に固定されている。なお、１４は軸受であり、回転軸９とケース６との間に設けられるものである。また、１５は密封部材であるＯリングであり、ケース６と回転軸９との間から水などが内部に浸入するのを防止するものである。
【００１５】
回路基板４はセラミックなどの絶縁部材からなり、板状体である。回路基板４は、抵抗体２と、抵抗体２と接続された引き出し電極５と、引き出し電極５と一体に形成された接続ランド１６とを備えている。抵抗体２は酸化ルテニウムなどからなり、この抵抗体２上を接点３が摺動するものである。引き出し電極５と接続ランド１６とは銀パラジウム合金などからなり、引き出し電極５と接続ランド１６とは接点３が抵抗体２上で接する位置によって変化する抵抗体２の抵抗値を外部に伝達するものであり、接続ランド１６には、リード線１７が半田１８によって固定されている。そして、本実施例では、引き出し電極５の一部には、グリースなどの粘性を有する絶縁部材８が塗布されている。また、本実施例では、抵抗体２、引き出し電極５及び接続ランド１６ともに、図３中で示す回路基板４の背面側に、言い換えると、図４中で示す回路基板４の右側の面に設けられている。なお、本実施例では、接点３は、抵抗体２上を摺動するものであったが、この構造に限定されるものではなく、例えば、抵抗体２から引き出された複数の電極上を摺動するものであってもよい。
【００１６】
ケース６は合成樹脂からなり、カップ形状であり、接点３や回路基板４などを収納する収納空間１９を備えたものである。なお、６ａは前記船舶の船側に取り付けるための貫通孔である。
【００１７】
収納空間１９内には、立壁部２０が設けられている。立壁部２０は回路基板４の一部に当接し、ケース６の収納空間１９内の設けた段差部２１とともに回路基板４を支持するものである。また、立壁部２０に対応する部分には、立壁部２０とは別部品からなる延長壁部２２が設けられている。延長壁部２２はケース６より軟質の合成樹脂からなり、立壁部２０と延長壁部２２との間に回路基板４が位置している。なお、立壁部２０と回路基板４の引き出し電極５との間に絶縁部材８を備えており、立壁部２０と回路基板４の引き出し電極５との間に水密性を確保するものである。また、延長壁部２２には、段差部２３が設けられるとともに、ケース６にも第２の段差部２４が設けられており、この段差部２３と第２の段差部２４に金属製の板状の蓋２５が設けられている。そして、立壁部２０、延長壁部２２、及び蓋２５によって、収納空間１９は２つに仕切られている。なお、２６はゴムなど弾性部材からなるグロメットである。
【００１８】
充填部材７は、エポキシ樹脂などの合成樹脂からなり、２液混合型の硬化性を備えたもので、液体状態から固体状態へと硬化するものである。充填部材７は、収納空間１９内に充填されるものであり、接点３と回路基板４とを外部雰囲気の影響から保護するものである。本実施例では、立壁部２０、延長壁部２２、及び蓋２５によって仕切られた空間には、接点３や回路基板４の抵抗体２を設けた部分が収納されており、接点３の摺動を損なわないように、充填部材７が充填されないように構成されている。
【００１９】
充填部材７と回路基板４の引き出し電極５との間に絶縁部材８を備えているので、充填部材７は引き出し電極５とが密着することがなく、よって、熱膨張による剪断力によって引き出し電極５が回路基板４から剥離することを抑えることが可能となる。また、絶縁部材８は粘性を有しているので、充填部材７が硬化するまで引き出し電極４上から移動することなく、引き出し電極４上に留まることができる。また、立壁部２０と回路基板４（引き出し電極５を含む）との間に絶縁部材８を備えており、立壁部２０と回路基板４との間に水密性を確保することができ、充填部材７が回路基板４を収納する収納空間１９、特に、接点３を収納した収納空間内に浸入することがなくなる。
【００２０】
なお、本実施例においては、絶縁部材８はグリースであったが、粘性を有する絶縁部材であれば、オイルなどであってもよい。
【図面の簡単な説明】
【００２１】
【図１】本発明の第１実施例の側面図。
【図２】同実施例の正面図。
【図３】同実施例の樹脂を充填する前の状態の正面図。
【図４】図３中Ａ−Ａ線の断面図。
【符号の説明】
【００２２】
Ｒ        角度検出装置
１        レバー
２        抵抗体
３        接点
４        回路基板
５        引き出し電極
６        ケース
７        充填部材
８        絶縁部材
１９        収納空間
２０        立壁部
【図１】
2008147571.tif 000003
【図２】
2008147571.tif 000004
【図３】
2008147571.tif 000005
【図４】
2008147571.tif 000006